(57)【要約】【課題】制御装置がネットワーク装置に挿入されるとインターネット電話システムのソフトウェアが実行を開始するインターネット電話無線制御装置を提供する。【解決手段】インターネット電話システムのソフトウェアが搭載されている制御装置本体と、前記制御装置本体に挿入され電気的に接続されるブルートゥースコントローラとを備えたインターネット電話無線制御装置である。前記制御装置本体がネットワーク装置に接続されると、前記制御装置本体は直ちに前記ソフトウェアを読み取り、前記インターネット電話システムの機能を実行する。【選択図】図３
0003134083.tif 000002
【実用新案登録請求の範囲】
【請求項１】
ネットワーク装置を介してインターネット電話システムを制御するインターネット電話無線制御装置であって、
前記インターネット電話システムのソフトウェアおよび個人パラメータデータが搭載されており、前記ネットワーク装置に接続されると、前記ソフトウェアが前記ネットワーク装置に送られるとともに、前記個人パラメータデータを認証して、前記ネットワーク装置にて前記インターネット電話システムの機能を実行する制御装置本体と、
前記制御装置本体とで無線伝送方式で通信して、前記インターネット電話システムの機能を制御するブルートゥース（登録商標）コントローラと、を備えたことを特徴とする、
インターネット電話無線制御装置。
【請求項２】
前記制御装置本体が、
前記ネットワーク装置に接続されているＵＳＢ制御モジュールと、
前記ソフトウェアおよび前記個人パラメータデータを格納し、前記ＵＳＢ制御モジュールを介して、前記ソフトウェアを前記ネットワーク装置に送り実行する、前記ＵＳＢ制御モジュールに接続されているメモリ制御モジュールと、
前記ＵＳＢ制御モジュールに接続され、前記ブルートゥースコントローラと通信する第１のブルートゥースモジュールと、を備えたことを特徴とする、請求項１に記載のインターネット電話無線制御装置。
【請求項３】
前記制御装置本体が、前記ＵＳＢ制御モジュールに接続され、前記メモリ制御モジュールを制御して再起動する第１のリセット回路を更に備えたことを特徴とする、請求項２に記載のインターネット電話無線制御装置。
【請求項４】
前記ブルートゥースコントローラが、
データ処理を実行するとともに、前記制御装置本体とで無線でのデータ伝送を行う第２のブルートゥースモジュールと、
ヘッドフォンおよびマイクロフォン機能を提供する、前記第２のブルートゥースモジュールに接続されている音声入力／出力モジュールと、
前記第２のブルートゥースモジュールに接続され、前記インターネット電話システムの機能制御を使用者に提供するキー制御モジュールと、を備えたことを特徴とする、請求項１に記載のインターネット電話無線制御装置。
【請求項５】
前記キー制御モジュールが、前記インターネット電話システムにおける発呼相手先の選択機能およびインターネット電話の発呼機能、および前記音声入力／出力モジュールの音量調整を制御する、発呼相手先上下選択キーと、インターネット電話発呼キーと、音量調整キーと、を備えたことを特徴とする請求項４に記載のインターネット電話無線制御装置。
【請求項６】
前記ブルートゥースコントローラが、前記制御装置本体に接続されたとき、前記制御装置本体から供給電源を得て、前記第２のブルートゥースモジュールに対して充電を行う充電モジュールを備えたことを特徴とする、請求項４に記載のインターネット電話無線制御装置。
【請求項７】
前記ブルートゥースコントローラが、充電時に前記第２のブルートゥースモジュールの再起動を制御する、前記第２のブルートゥースモジュールに接続されている第２のリセット回路を備えたことを特徴とする、請求項６に記載のインターネット電話無線制御装置。
【請求項８】
前記ブルートゥースコントローラが、電力不足時に前記第２のブルートゥースモジュールに通知する、前記第２のブルートゥースモジュールに接続されている電力検出モジュールを備えたことを特徴とする、請求項４に記載のインターネット電話無線制御装置。
【請求項９】
前記ブルートゥースコントローラが、前記ブルートゥースコントローラに各種機能におけるランプ点灯表示を提供する、前記第２のブルートゥースモジュールに接続されているインジケータランプモジュールを備えたことを特徴とする、請求項４に記載のインターネット電話無線制御装置。
【請求項１０】
前記ネットワーク装置がパーソナルコンピュータであることを特徴とする、請求項１に記載のインターネット電話無線制御装置。
【請求項１１】
前記ネットワーク装置が車載用コンピュータであることを特徴とする、請求項１に記載のインターネット電話無線制御装置。
【請求項１２】
前記ソフトウェアがスカイプであることを特徴とする、請求項１に記載のインターネット電話無線制御装置。
【請求項１３】
前記個人パラメータデータがインターネット電話のアカウントおよびパスワードであることを特徴とする、請求項１に記載のインターネット電話無線制御装置。
【考案の詳細な説明】
【技術分野】
【０００１】
本考案はインターネット電話無線制御装置、特にブルートゥース（登録商標）を用いてインターネット電話システムのソフトウェアを無線制御することで、インターネット電話の発呼、発呼相手先の選択および音声調整などの機能を行う制御装置を提供するものである。
【背景技術】
【０００２】
インターネット電話は全世界にデータの相互通信におけるシームレスのプラットフォームを提供しており、近年来、通信業者は遠距離通話の架け橋としてこの共通のプラットフォームを開発している。
音声パケット伝送技術の向上によりインターネット電話の使用率も大幅に増えており、現在、インターネット電話では例えばスカイプといったシステムが使用されている。これは優れた通話効果を有し、しかも従来の一般的な電話または携帯電話機に比べても通話料金が節約できるという効果を備えているため、広く流行している。
【０００３】
しかしながら、インターネット電話はパーソナルコンピュータ上で予めインターネット電話のソフトウェアをダウンロードして、その後アカウントおよびパスワードを設定しなければ、使用することはできない。このような手順はコンピュータ操作に習熟していない者にとっては、煩雑で難しいものである。
これだけでなく、インターネット電話システムではアカウントおよびパスワードをコンピュータ中に記憶できるが、他人または公用コンピュータでインターネット電話をかけたい場合には、これらデータを新たに入力しなければならず、もしアカウントおよびパスワードを忘れてしまうと、他人または公用コンピュータでインターネット電話をかけることはできなくなる。
【０００４】
また、通常インターネット電話をかける際には、使用者は音声通信として、コンピュータに接続するヘッドフォンおよびマイクロフォンを組み合わせなければならない。同時に、使用者はコンピュータに接続するマウスを組み合わせて、発呼相手先の氏名の選択およびインターネット電話の発呼制御を行う必要がある。
【考案の開示】
【考案が解決しようとする課題】
【０００５】
したがって、既存のインターネット電話には下記のような欠点がある。
１．煩雑な手順でインターネット電話のソフトウェアをダウンロードしなければならない。
２．アカウントおよびパスワードを忘れてしまうと、他人または公用コンピュータを用いてインターネット電話をかけることができなくなる。
３．ヘッドフォン、マイクロフォンおよびマウスを組み合わせる必要があり、コンピュータ周辺のみでしか使用できない。
【０００６】
これに鑑み、本考案では、インターネット電話システムを制御可能なインターネット電話無線制御装置であって、前記制御装置がネットワーク装置に挿入されると前記インターネット電話システムのソフトウェアが実行を開始するインターネット電話無線制御装置を提供するものである。この制御装置はブルートゥースの無線制御方式を用いて、実行中のインターネット電話システムがインターネット電話の発呼、発呼相手先の選択および音声調整などの機能を実行する。
【課題を解決するための手段】
【０００７】
本考案で提供するインターネット電話無線制御装置は、制御装置本体と、ブルートゥースコントローラとを備えている。
前記制御装置本体はＵＳＢ制御モジュールと、メモリ制御モジュールと、第１のブルートゥースモジュールとを備えている。
前記ブルートゥースコントローラは挿抜可能な方式であり、前記制御装置本体に挿入されて電気的に接続可能であり、前記ブルートゥースコントローラは第２のブルートゥースモジュールと、音声入力／出力モジュールと、キー制御モジュールとを備えている。
【０００８】
もし本考案の制御装置本体およびブルートゥースコントローラが前記各構成要素を備える場合には、制御装置本体のモジュールの接続関係は次のとおりとなる。
前記ＵＳＢ制御モジュールは前記ネットワーク装置に接続される。
インターネット電話のソフトウェアおよび個人パラメータデータを格納するメモリ制御モジュールは前記ＵＳＢ制御モジュールに接続されており、前記メモリ制御モジュールは前記ＵＳＢ制御モジュールを介して前記インターネット電話のソフトウェアを前記ネットワーク装置に送信するとともに、前記ネットワーク装置上で前記インターネット電話のソフトウェアを実行するものであり、個人パラメータデータの認証にてエラーがなければ、インターネット電話は通話が可能となる。
前記第１のブルートゥースモジュールは前記ＵＳＢ制御モジュールに接続されている。
【０００９】
もし本考案の制御装置本体およびブルートゥースコントローラが前記各構成要素を備える場合には、前記ブルートゥースコントローラのモジュールの接続関係は次のとおりとなる。
前記第２のブルートゥースモジュールはデータ処理用であって、しかも前記第１のブルートゥースモジュールとで無線によるデータ伝送を行う。
ヘッドフォンおよびマイクロフォンの機能を提供する音声入力／出力モジュールは前記第２のブルートゥースモジュールに接続されている。
発呼相手先上下選択キー、インターネット電話発呼キーおよび音量調整キーを備え、前記インターネット電話のソフトウェアにおける発呼相手先の選択機能およびインターネット電話の発呼機能を無線制御し、前記音声入力／出力モジュールの音量を調整するためのキー制御モジュールは前記第２のブルートゥースモジュールに接続されている。
【考案の効果】
【００１０】
本考案のインターネット電話無線制御装置では、インターネット電話のソフトウェアおよび個人パラメータデータを格納するとともに、ネットワーク装置に挿入された後、個人パラメータデータの認証にてエラーがなければ、前記ソフトウェアの実行を開始する。
したがって、本考案では、
１．煩雑な手順でインターネット電話のソフトウェアをダウンロードしなければならない。
２．アカウントおよびパスワードを忘れてしまうと、他人または公用コンピュータを用いてインターネット電話をかけることができなくなる。
といった既存のインターネット電話における欠点を効果的に解決することができる。
【００１１】
同時に、本考案におけるインターネット電話無線制御装置は、前記インターネット電話のソフトウェアにおける発呼相手先の選択機能およびインターネット電話の発呼機能、および音量制御機能を無線制御することができる。よって本考案では、
３．ヘッドフォン、マイクロフォンおよびマウスを組み合わせる必要があり、コンピュータ周辺のみでしか使用できない。
といった既存のインターネット電話における欠点を効果的に解決することができる。
【００１２】
上記した概略的説明および下記する詳細な説明はいずれも例示的な性質であって、これは本考案の登録請求の範囲をより詳細に説明するためのものである。本考案におけるその他目的および長所は、後述する説明および図面にて詳細に説明する。
【考案を実施するための最良の形態】
【００１３】
本考案の一実施例における外観構造概略図である図１を参照されたい。
この実施例におけるインターネット電話無線制御装置１は制御装置本体１０と、ブルートゥースコントローラ１２とを備え、前記ブルートゥースコントローラ１２は挿抜可能な方式で、前記制御装置本体１０に挿入されて電気的に接続されている。
【００１４】
この実施例の実施環境の概略図である図２を参照されたい。
インターネット電話無線制御装置１は、インターネットに接続可能なパーソナルコンピュータまたは車載用コンピュータであるネットワーク装置２に接続可能である。
例えば図２に示すように、制御装置本体１０がネットワーク装置２に挿入されて、前記ネットワーク装置２とでデータの送受信を行うことができる。
ブルートゥースコントローラ１２は前記制御装置本体１０中に挿入されて電気的に接続可能でもあるし、または前記制御装置本体１０とは分離することもできる。
ブルートゥースコントローラ１２が前記制御装置本体１０に挿入されて電気的に接続されたとき、ネットワーク装置２は前記制御装置本体１０を介してブルートゥースコントローラ１２の充電を行う。
ブルートゥースコントローラ１２が前記制御装置本体１０から抜き取られた後には、使用者はブルートゥースコントローラ１２を操作して、無線通信の方式で制御装置本体１０を介して前記インターネット電話のソフトウェアにおける発呼相手先の選択機能およびインターネット電話の発呼機能、および音量制御機能を制御する。
【００１５】
この実施例におけるブルートゥースコントローラ１２が制御装置本体１０に挿入されて電気的に接続される回路ブロック概略図である図３を参照されたい。
前記制御装置本体１０はＵＳＢ制御モジュール１０２と、メモリ制御モジュール１０４と、第１のブルートゥースモジュール１０６と、第３のリセット回路１０８と、第１のリセット回路１０９とを備えている。
そして前記ブルートゥースコントローラ１２は第２のブルートゥースモジュール１２０と、音声入力／出力モジュール１２２と、キー制御モジュール１２４と、第２のリセット回路１２６と、充電モジュール１２７と、電力検出モジュール１２８と、インジケータランプモジュール１２９とを備えている。
【００１６】
制御装置本体１０の配線概略図である図５Ａないし図５Ｃを合わせて説明する。
図５Ａに示すように、ＵＳＢ制御モジュール１０２はＵＳＢコントロールチップＵ１と、ＵＳＢポート１０２２と、メモリ回路１０２３と、充電ポート１０２４と、ＵＳＢダウンストリームポート（ｄｏｗｎｓｔｒｅａｍ  ｐｏｒｔ）１  １０２５と、ＵＳＢダウンストリームポート２  １０２６とを備えている。
前記ＵＳＢダウンストリームポート１  １０２５およびＵＳＢダウンストリームポート２  １０２６はメモリ制御モジュール１０４および第１のブルートゥースモジュール１０６の信号を接続するのに用いられる。
第１のリセット回路１０９は抵抗器Ｒ７とキャパシタＣ３とを備えている。
図５Ｂに示すように、メモリ制御モジュール１０４はメモリコントロールチップＵ２とメモリチップＵ３とを備えている。
図５Ｃに示すように、第１のブルートゥースモジュール１０６は発信回路１０６２およびアンテナ回路１０６４を接続するコントロールチップＵ４を備えている。
実施例における各チップの型番は図面中に記載する。
【００１７】
再度図３を参照されたい。
制御装置本体１０はＵＳＢ制御モジュール１０２によりネットワーク装置２に接続されて、ネットワーク装置２とデータ通信を行うとともに、ネットワーク装置２から供給電源を得る。
供給電源は前記制御装置本体１０に接続されているブルートゥースコントローラ１２に対して充電を行う。
インターネット電話システムのソフトウェアおよび個人パラメータデータを格納するメモリ制御モジュール１０４は前記ＵＳＢ制御モジュール１０２に接続されている。
制御装置本体１０がネットワーク装置２に挿入されると、前記ネットワーク装置２は直ちに前記ソフトウェアを読み出して、前記インターネット電話システムの機能を実行する。
また、制御装置本体１０がネットワーク装置２から抜き取られると、前記インターネット電話のソフトウェアはネットワーク装置２中から直ちに自動的にアンインストールされる。このうちインターネット電話のソフトウェアはスカイプであり、個人パラメータデータはインターネット電話のアカウントおよびパスワードである。
【００１８】
ブルートゥースコントローラ１２とで無線によるデータ通信を行う前記第１のブルートゥースモジュール１０６は前記ＵＳＢ制御モジュール１０２に接続されている。
また、第１のリセット回路１０９は前記ＵＳＢ制御モジュール１０２に接続され、ＵＳＢ制御モジュール１０２がネットワーク装置２に装着されると、第１のリセット回路１０９はＵＳＢ制御モジュール１０２を再起動する。同時にメモリ制御モジュール１０４が前記ＵＳＢ制御モジュール１０２を介して、１０２５ＵＳＢダウンストリームポート１の電源信号、第３のリセット回路１０８がメモリ制御モジュール１０４を再起動する。
【００１９】
ブルートゥースコントローラ１２の配線概略図である図６を合わせて説明する。
図６に示すように、第２のブルートゥースモジュール１２０はコントロールチップＵ５により実現される。
音声入力／出力モジュール１２２はスピーカ制御回路１２２２とマイクロフォン制御回路１２２４とを備えている。
キー制御モジュール１２４は抵抗器Ｒ２〜Ｒ５と、スイッチＳＷ１〜ＳＷ３などの素子を備えている。
第２のリセット回路１２６は抵抗器Ｒ１２〜Ｒ１３と、キャパシタＣ２２と、電子スイッチＱ１などの素子を備えている。
充電モジュール１２７は抵抗器Ｒ１６、Ｒ１７、Ｒ１９〜Ｒ２１と、キャパシタＣ２６と、電子スイッチＱ２などの素子を備えている。
電力検出モジュール１２８はキャパシタＣ２３〜Ｃ２５と、抵抗器Ｒ１４〜Ｒ１５とを備えている。インジケータランプモジュール１２９は発光ダイオードＤ３〜Ｄ４と、抵抗器Ｒ６、Ｒ８とを備えている。
【００２０】
再度図３を参照されたい。
ブルートゥースコントローラ１２は前記第２のブルートゥースモジュール１２０を用いてデータ処理を行うとともに、前記第１のブルートゥースモジュール１０６とで無線によるデータ通信を行う。
前記制御装置本体１０のＵＳＢ制御モジュール１０２から前記供給電源を得て、前記ブルートゥースコントローラ１２０に対して充電を行う充電モジュール１２７は前記制御装置本体１０のＵＳＢ制御モジュール１０２と前記第２のブルートゥースモジュール１２０とを接続している。
ヘッドフォンおよびマイクロフォン機能を提供する音声入力／出力モジュール１２２は前記第２のブルートゥースモジュール１２０に接続されている。
キー制御モジュール１２４は前記第２のブルートゥースモジュール１２０に接続されており、前記キー制御モジュール１２４のスイッチＳＷ１〜ＳＷ３はそれぞれ発呼相手先上下選択キー、インターネット電話発呼キー、音量調整キーとされている。
使用者はこれらキーを押すことにより、前記インターネット電話のソフトウェアにおける発呼相手先の選択機能およびインターネット電話の発呼機能、および前記音声入力／出力モジュール１２２の音量調整を無線制御することができる。
前記第２のリセット回路１２６は前記第２のブルートゥースモジュール１２０に接続されており、使用者が充電モジュール１２７を介して第２のブルートゥースモジュール１２０に充電を行う場合、充電電源信号は第２のリセット回路１２６にＬｏｗ信号を出力させて、前記第２のブルートゥースモジュール１２０に供給して、前記第２のブルートゥースモジュール１２０を再起動する。
【００２１】
ブルートゥースコントローラ１２のバッテリ電圧の状態を検出するブルートゥースコントローラ１２の電力検出モジュール１２８は前記第２のブルートゥースモジュール１２０に接続されており、もしバッテリ電圧が例えば３．３Ｖという具合にある特定の電圧値を下回っている場合、弱い電気信号を生成して、前記第２のブルートゥースモジュール１２０に通知する。
前記ブルートゥースコントローラ１２の各種機能、例えばオン時にはインジケータランプモジュール１２９が青く点滅し、オフ時には赤く点滅するという具合に点灯表示するブルートゥースコントローラ１２のインジケータランプモジュール１２９は前記第２のブルートゥースモジュール１２０に接続されている。
【００２２】
図４は、この実施例におけるブルートゥースコントローラ１２と制御装置本体１０とを切り離したときの回路ブロック概略図である。
ブルートゥースコントローラ１２が制御装置本体１０から抜き取られた後には、ネットワーク装置２は前記制御装置本体１０を介したブルートゥースコントローラ１２への充電を停止する。
このとき、使用者はブルートゥースコントローラ１２のキー制御モジュール１２４における発呼相手先の上下選択キー、インターネット電話発呼キーを操作して、制御コマンドを生成することができる。
前記制御コマンドは第２のブルートゥースモジュール１２０の処理を経て、無線データ伝送方式で制御装置本体１０の第１のブルートゥースモジュール１０６に送られて、更にＵＳＢ制御モジュール１０２を介してネットワーク装置２における前記インターネット電話のソフトウェアにおける発呼相手先の選択機能およびインターネット電話の発呼機能を制御する。
また、使用者はブルートゥースコントローラ１２のキー制御モジュール１２４における音量調整キーを操作することで、第２のブルートゥースモジュール１２０の処理を経て、更に音声入力／出力モジュール１２２におけるヘッドフォンおよびマイクロフォンの音量を調整する他の制御コマンドを生成することができる
【００２３】
上記をまとめるに、本考案のインターネット電話無線制御装置ではインターネット電話システムのソフトウェアおよび個人パラメータデータを格納するとともに、ネットワーク装置に挿入されると、ネットワーク装置２が直ちに前記ソフトウェアを読み取るとともに、前記インターネット電話システムの実行を開始する。
したがって、本考案では、１．煩雑な手順でインターネット電話のソフトウェアをダウンロードしなければならない、および、２．アカウントおよびパスワードを忘れてしまうと、他人のコンピュータを用いてインターネット電話をかけることができなくなる、といった既存のインターネット電話における欠点を効果的に解決することができる。
【００２４】
これにとどまらず、本考案のインターネット電話無線制御装置では、前記インターネット電話のソフトウェアにおける発呼相手先の選択機能およびインターネット電話の発呼機能、および音量制御の機能を無線制御することができる。
したがって、３．ヘッドフォン、マイクロフォンおよびマウスを組み合わせる必要があり、コンピュータ周辺のみでしか使用できない、といった既存のインターネット電話における欠点を効果的に解決することができる。
【００２５】
ただし上記したものは、本考案における好ましい具体的な実施例の詳細な説明および図面に過ぎず、いかなる当業者をして本考案の範囲内にて容易に想到できる変更および付加はいずれも実用新案登録請求の範囲に含まれるものである。
【図面の簡単な説明】
【００２６】
【図１】本考案の一実施例における外観構造概略図である。
【図２】当該実施例の実施環境の概略図である。
【図３】当該実施例におけるブルートゥースコントローラが制御装置本体に挿入されて電気的に接続される回路ブロック概略図である。
【図４】当該実施例におけるブルートゥースコントローラと制御装置本体とを切り離したときの回路ブロック概略図である。
【図５Ａ】当該実施例の制御装置本体の配線概略図である。
【図５Ｂ】当該実施例の制御装置本体の配線概略図である。
【図５Ｃ】当該実施例の制御装置本体の配線概略図である。
【図６】当該実施例におけるブルートゥースコントローラの配線概略図である。
【符号の説明】
【００２７】
１  インターネット電話無線制御装置
１０  制御装置本体
１０２  ＵＳＢ制御モジュール
１０２２  ＵＳＢポート
１０２３  メモリ回路
１０２４  充電ポート
１０２５  ＵＳＢダウンストリームポート１
１０２６  ＵＳＢダウンストリームポート２
１０４  メモリ制御モジュール
１０６  第１のブルートゥースモジュール
１０６２  発信回路
１０６４  アンテナ回路
１０８  第３のリセット回路
１０９  第１のリセット回路
１２  ブルートゥースコントローラ
１２０  第２のブルートゥースモジュール
１２２  音声入力／出力モジュール
１２２２  スピーカ制御回路
１２２４  マイクロフォン制御回路
１２４  キー制御モジュール
１２６  第２のリセット回路
１２７  充電モジュール
１２８  電力検出モジュール
１２９  インジケータランプモジュール
２  ネットワーク装置
【図１】
0003134083.tif 000003
【図２】
0003134083.tif 000004
【図３】
0003134083.tif 000005
【図４】
0003134083.tif 000006
【図５Ａ】
0003134083.tif 000007
【図５Ｂ】
0003134083.tif 000008
【図５Ｃ】
0003134083.tif 000009
【図６】
0003134083.tif 000010